(57)【要約】【課題】一つのバックルにベルトクランプを多様な形態で取付可能とするとともにバックルの取付けるべき部位への取付けを多様な状態で取付可能とすることにより、ケーブルワイヤの配索方向の自由度を高めるとともにベルトクランプの部品点数を削減する。【解決手段】ベルト１０とバックル２０とが別体として形成されているベルトクランプ１であって、バックル２０は、ベルト１０が挿通可能な一対の挿通口３０，３０を複数組備えるとともに取付けるべき部位に係止する係止部４０を複数個有することを特徴とする。【選択図】        図４
2005323439.tif 000002
【特許請求の範囲】
【請求項１】
ベルトとバックルとが別体として形成されているベルトクランプであって、
前記バックルは、前記ベルトが挿通可能な一対の挿通口を複数組備えるとともに取付けるべき部位に係止する係止部を複数個有することを特徴とするベルトクランプ。
【請求項２】
請求項１に記載のベルトクランプであって、
前記係止部は、取付けるべき部位に設けられた取付孔に押し込み可能なクリップであり、該クリップの大きさがそれぞれ異なっていることを特徴とするベルトクランプ。
【請求項３】
請求項１に記載のベルトクランプであって、
前記複数の係止部の少なくとも一つには、取付けるべき部位に立設されたスタッドボルトが挿入可能な挿入口が形成されていることを特徴とするベルトクランプ。
【請求項４】
請求項１から請求項３のいずれかに記載のベルトクランプであって、
前記ベルトは、その長さ方向に沿って形成された複数の係合歯を備え、
前記挿通口には、前記係合歯と係合する係合爪が設けられ、
該係合爪は、前記ベルトの挿入方向に傾斜して設けられていることを特徴とするベルトクランプ。
【請求項５】
請求項１から請求項４のいずれかに記載のベルトクランプであって、
前記バックルは略長方形状であり、
前記一対の挿通口は二組設けられており、該バックルの一面に第一の一対の挿通口が設けられるとともに該バックルの他の面に第二の一対の挿通口が設けられ、
前記係止部は、該一対の挿通口が設けられていない残りの二面にそれぞれ一個ずつ設けられていることを特徴とするベルトクランプ。
【発明の詳細な説明】
【技術分野】
【０００１】
本発明はベルトクランプに関する。例えば、ケーブルワイヤを車体の所定位置に取付ける際に使用するベルトクランプに関する。
【背景技術】
【０００２】
従来、さまざまな種類のベルトクランプが提案されている。例えばバックルとベルトとが分離したベルトクランプがある（特許文献１を参照。）。そのバックルには、挿通孔とクリップとがそれぞれ一つずつ設けられている。
このベルトクランプの使用方法としては、例えば車体に設けられた取付孔にクリップを挿入し、バックルを車体に固定する。次にケーブルワイヤにベルトをループ状に巻きつけた後、ベルト両先端からバックルの挿通孔に挿通させる。この状態でベルトを引き締めて、ケーブルワイヤをバックルに固定する。
このベルトクランプによれば、ベルトの長さを適宜変更して使用することで径の異なるケーブルワイヤを安定して車体に固定することができる。
【特許文献１】特開平７−３５２６９号公報
【発明の開示】
【発明が解決しようとする課題】
【０００３】
しかし上述のベルトクランプでは、ベルトを挿通する挿通孔が一つしかない。このため、先にバックルを車体に固定した後に挿通孔の向きを変更することができず、結果としてケーブルワイヤの配索方向が限定されるという問題があった。
更に取付孔に挿入するクリップが一つしかないため、車体の厚みに対応させるためにはバックルごと取替える必要がある。このため、種類の異なるバックルが複数必要となる。
本発明は上述した点に鑑みて創案されたものである。つまり本発明が解決しようとする課題は、一つのバックルにベルトクランプを多様な形態で取付可能とするとともにバックルの取付けるべき部位への取付けを多様な状態で取付可能とすることにより、ケーブルワイヤの配索方向の自由度を高めるとともにベルトクランプの部品点数を削減することにある。
【課題を解決するための手段】
【０００４】
上記課題を解決するために、本発明の各発明は次の手段をとる。
先ず第１の発明に係るベルトクランプは、ベルトとバックルとが別体として形成されているベルトクランプであって、バックルは、ベルトが挿通可能な一対の挿通口を複数組備えるとともに取付けるべき部位に係止する係止部を複数個有することを特徴とする。
この第１の発明では、複数組の一対の挿通口のいずれかを用いてベルトを固定する。また複数個の係止部のいずれか一つの係止部を用いて、バックルを車体等の取付けるべき部位（以下、取付部位とも呼ぶ。）に取付ける。
【０００５】
次に第２の発明に係るベルトクランプは、第１の発明に係るベルトクランプにおいて、係止部は、取付けるべき部位に設けられた取付孔に押し込み可能なクリップであり、クリップの大きさがそれぞれ異なっていることを特徴とする。
この第２の発明では、大きさ（サイズ）がそれぞれ異なるクリップのうちで車体等の取付部位の厚みに合ういずれか一つのクリップを用いてバックルを取付部位に取付ける。
なお各クリップの形状・構造は同一であってもよく、それぞれ異なっていてもよい。
【０００６】
次に第３の発明に係るベルトクランプは、第１の発明に係るベルトクランプにおいて、複数の係止部の少なくとも一つには、取付けるべき部位に立設されたスタッドボルトが挿入可能な挿入口が形成されていることを特徴とする。
この第３の発明では、取付部位に立設したスタッドボルトを係止部に設けられた挿入口に挿入することで、バックルを取付部位に取付ける。
【０００７】
次に第４の発明に係るベルトクランプは、第１の発明から第３の発明のいずれかの発明に係るベルトクランプにおいて、ベルトは、その長さ方向に沿って形成された複数の係合歯を備え、挿通口には、係合歯と係合する係合爪が設けられ、係合爪は、ベルトの挿入方向に傾斜して設けられていることを特徴とする。
この第４の発明では、互いに係合するベルトの係合歯と挿通口の係合爪とが設けられている。挿通口の係合爪はベルトの挿入方向に傾斜している。この係合爪は、ベルトの挿通力によって拡開方向に弾性変形する。このためベルトを挿通するときは、ベルトの係合歯と挿通口の係合爪とが係合しない。逆に引っ張り出す方向にベルトを引くときは係合爪が弾性変形せず、ベルトの係合歯と挿通口の係合爪とが係合する。
【０００８】
次に第５の発明に係るベルトクランプは、第１の発明から第４の発明のいずれかに係るベルトクランプにおいて、バックルは略長方形状であり、一対の挿通口は二組設けられており、バックルの一面に第一の一対の挿通口が設けられるとともにバックルの他の面に第二の一対の挿通口が設けられ、係止部は、一対の挿通口が設けられていない残りの二面にそれぞれ一個ずつ設けられていることを特徴とする。
この第５の発明では、略長方形状のバックルを構成する六面の各面には、一対の挿通口又は係止部のいずれかが一組又は一個だけ配置されている。
【０００９】
「ベルトクランプの材質」は、ベルトクランプとしての機能を果たす限り金属，木質材料，樹脂，ゴムの各種の材質を使用できる。樹脂製のベルトクランプは、金属などの材質のものよりも軽量であるためのぞましい。
「樹脂」としては、例えばポリプロピレン，ポリビニルアルコール，ポリ塩化ビニル，ポリ塩化ビニリデン，ポリエチレン，ポリスチレン，ポリアミド，ポリ酢酸ビニル，アクリロニトリル＝スチレン共重合体（ＡＳ），アクリロニトリル＝ブタジエン＝スチレン共重合体（ＡＢＳ）などの熱可塑性樹脂、フェノール樹脂，エポキシ樹脂，不飽和ポリエステル樹脂，ユリア樹脂，メラミン樹脂，ポリウレタン樹脂，シリコン樹脂などの熱硬化性樹脂がある。上述の樹脂は単独で使用してもよく、二種類以上使用されていてもよい。
【発明の効果】
【００１０】
上述した本発明によれば、次の効果を得ることができる。
先ず第１の発明によれば、複数組の一対の挿通口のいずれかを用いてベルトを固定することができるため、バックルを先に取付部位に固定した後であっても、ケーブルワイヤの配索方向の自由度を保つことができる。また複数個の係止部を有するため、取付部位の厚みに応じて使用するクリップを選択できる。一つのバックルでベルトクランプを多様に取付けることができるので、少ない部品点数のバックルで対応できる。
【００１１】
次に第２の発明によれば、大きさの異なる複数のクリップがバックルにあるため、取付部位の厚みに対応したクリップを用いてバックルを取付部位に取付けることができる。  
次に第３の発明によれば、係止部に挿入口が設けられているため、取付部位に立設したスタッドボルトを利用してバックルを取付部位に取付けることができる。
【００１２】
次に第４の発明によれば、ベルト挿入時にはベルトの係合歯と挿通口の係合爪とは係合しないため、ベルトを挿通口に挿通することができる。ベルトを引張り出す方向に引くときは係合歯と挿通口の係合爪とが係合するため、ベルトが挿通口から引張り出されるのを阻止することができる。
次に第５の発明によれば、バックルの各面には、一対の挿通口又は係止部のいずれかが一つだけ配置されているため、選択されたクリップ等により取付部位にバックルを取付ける場合、その取付けに当たって他のクリップが邪魔となることがない。またベルトを挿通口に挿通してケーブルワイヤをバックルに固定する場合にもクリップが邪魔となることがない。
【発明を実施するための最良の形態】
【００１３】
以下に本発明を実施するための最良の形態を図面を参照して説明する。
図１はバックルの斜視図、図２はベルトの正面図、図３はバックルの側面図、図４はケーブルワイヤ取付時のベルトクランプの断面図である。
【実施例１】
【００１４】
実施例１に係るベルトクランプ１は、それぞれ個別に形成されたベルト１０とバックル２０とからなる。以下、各構成要素について説明する。
【００１５】
ベルト１０は、図２のように長尺な帯状の樹脂部材である。また、図４のようにケーブルワイヤ６０の周方向に沿ってその周囲に巻きつけ可能な可撓性を有する。
ベルト１０の片面には、その長尺方向に一定の間隔を空けて複数の係合歯１１が形成されている。この係合歯１１が形成されたベルト１０の片面は、ケーブルワイヤ６０にベルト１０を巻きつけた際に外側を臨む面である。
【００１６】
バックル２０は、図１，３のように略長方形状を有する樹脂製の一体成形品である。バックル２０には、一対の挿通口３０，３０とクリップ４０，４１とが形成されている。
一対の挿通口３０，３０は、バックル２０の上面部２１と正面部２２とのそれぞれに形成されている。二つの挿通口３０がそれぞれ平行に配置されて一対となる。
挿通口３０はバックル２０を貫通して形成される。図４のように、上面部２１の一対の挿通口３０，３０は下面部２３に通じている。また、正面部２２の一対の挿通口３０，３０は裏面部（図示せず。）に通じている。
なお各挿通口３０は、図３で示すように互いに交わることなく一定間隔をあけて配置されている。
【００１７】
挿通口３０の内部には、図４に示す通りベルト１０の係合歯１１と係合する係合爪３１が複数個形成されている。この係合爪３１は樹脂製の薄板である。
係合爪３１は、その基部で挿通口３０の内部壁面と一体となっている。また係合爪３１の自由端側は、上面部２１から下面部２３へと傾斜して形成されている。
【００１８】
クリップ４０，４１は、バックル２０の左右側面部２５，２６に形成されている。図３に示す通り、左側面部２５のクリップ４０よりも右側面部２６のクリップ４１の方が大きく形成されている。
両クリップ４０，４１は基本的に同一の構成を有し、係合脚４２（４２ａ）と，一対の弾性片４３，４３（４３ａ，４３ａ）とからなる。係合脚４２（４２ａ）は、上述のバックル２０の左右側面部２５，２６に連結されている。弾性片４３（４３ａ）は、係合脚４２（４２ａ）と一体で且つ互いに近づく方向に撓み変形可能に形成されている。
【００１９】
次にベルトクランプ１の使用方法を図４に基づいて説明する。
先ず、取付部位である車体Ａの取付孔３にクリップ４０を挿入し、取付部位にバックル２０を取付ける。このとき車体Ａの厚みに応じてクリップ４１を用いることもできる。
次に、バックル２０の上面部２１に形成された挿通口３０のうちの一つに上面部２１側からベルト１０の一方の先端を挿入する。挿通口３０内部をベルト１０が移動する際には、ベルト１０が係合爪３１を径方向に押し開きながら（拡開しながら）進む。このときケーブルワイヤ６０の配索事情により、正面部２２の挿通口３０を用いることもできる。
次に、残りのベルト１０部分をケーブルワイヤ６０の外周に巻き回して、ベルト１０をループ状とする。更にベルト１０の他方の先端を上面部２１側から挿通口３０に挿入させ、下面部２３側から引っ張り出す。この状態で、ベルト１０の両先端を下面部２３側方向に引っ張りベルト１０を引き締める。このようにして、図４のようにケーブルワイヤ６０をバックル２０に固定する。
【００２０】
なおベルト１０の引き締め・固定には、例えば特開２００１−２４００１７，実開平５−３１８７５に開示されている公知の結束装置が用いられる。
【００２１】
ベルトクランプ１によれば、二組の一対の挿通口３０，３０のいずれかを用いてベルト１０を固定することができるため、ケーブルワイヤ６０の配索方向の自由度が広がる。
また一つのバックル２０でベルトクランプ１を多様に取付けることができるので、少ない部品点数のバックル２０で対応できる。
またそれぞれ大きさの異なるクリップ４０とクリップ４１がバックル２０にある。このため車体Ａの厚みに応じて、クリップ４０，４１のいずれかを用いてバックル２０を取付孔３に取付けることができる。
【００２２】
次にベルト１０挿入時にはベルト１０の係合歯１１と挿通口３０の係合爪３１とは係合しないため、ベルト１０を挿通口３０に挿通することができる。一方ベルト１０を引き抜く方向に引くときは係合歯１１と係合爪３１とが係合するため、ベルト１０が挿通口３０から引張り出されるのを阻止できる。
次に略長方形状のバックル２０の異なる面に複数の係止部が設けられている。このため選択されたクリップ４０により取付部位にバックル２０を取付ける場合、その取付けに当たって他のクリップ４１が邪魔となることがない。またベルト１０を挿通口３０に挿通してケーブルワイヤ６０をバックル２０に固定する場合にもクリップ４０，４１が邪魔となることがない。
【実施例２】
【００２３】
次に、実施例２に係るベルトクランプ２を図５に基づいて説明する。
ベルトクランプ２は、それぞれ個別に形成されたベルト１０とバックル２０ａとからなる。バックル２０ａには、ベルト１０を挿入・係止する一対の挿通口３０が二組と，取付孔３に挿入するクリップ４１が一個設けられている。つまり上述のベルトクランプ１と基本的構成は同一の構成をとる。よって上記ベルトクランプ１と同一の構成部分には同一の符号を付し、その詳細説明を省略する。
【００２４】
ベルトクランプ２がベルトクランプ１と異なる点は、車体Ａに立設されたスタッドボルトが挿入可能な挿入口が形成されている点である。つまり図５のとおり、バックル２０ａの左側面部２５が延長してスタッドボルトが挿入可能な筒体７０が形成されている。
図５の筒体７０内部には、スタッドボルト挿入軸線を基準として軸対称に二つのヒンジ部位７１，７１が設けられている。ヒンジ部位７１は樹脂製であり、互いに離間する方向に弾性変形可能に形成されている。
【００２５】
ヒンジ部位７１の先端にはアーム７２を介して板状の係止片７３が設けられている。
アーム７２は、スタッドボルト挿入方向に傾斜して筒体７０の内部壁面に連結する。
係止片７３のスタッドボルトに臨む面には、係合突起７４が設けられている。係合突起７４はスタッドボルトの溝形状に対応して形成されている。
ベルトクランプ２によれば、筒体７０に挿入口が設けられているため、取付部位に立設したスタッドボルトを利用してバックル２０ａを取付部位に取付けることができる。
【００２６】
［その他の実施の形態］
本発明に係るベルトクランプは、上述した実施の形態に限定されるものではなく、その他各種の実施の形態を取り得る。
先ずバックルの形状は、ケーブルワイヤを固定できることができる限り、円柱，多角柱，正方形等いかなる形状でも取ることができる。
一つのバックルの面に、一対の挿通口を二組以上設けることができる。一対の挿通口を二組以上設けることで、一巻のケーブルワイヤを一つのバックルの面に複数固定することができる。バックルの異なる面に複数のケーブルワイヤを固定することもできる。
挿通口自体の形状・大きさは、挿通されるベルトとの関係で適宜変更できる。
また挿通口同士は、バックルの内部で交わっていてもよい。例えば、上面部２１と正面部２２とに形成された挿通口３０，３０が、バックルの内部で十字状に連結されていてもよい。
【００２７】
次にクリップの構成も適宜変更できる。例えば係止脚の基部に、係止脚を包囲するようにして皿状体を設けてもよい。このとき係止脚と取付孔との間には環状の防水パッキンが挟み込まれる。そしてクリップが車体の取付孔に差し込まれることで、皿状体により防水パッキンが車体に押し付けられる。
バックルにおけるクリップと挿通口の両者の配置位置も適宜変更できる。
【図面の簡単な説明】
【００２８】
【図１】バックルの斜視図である。
【図２】ベルトの正面図である。
【図３】バックルの側面図である。
【図４】ケーブルワイヤ取付時のベルトクランプの断面図である。
【図５】バックルの別の例の一部断面図である。
【符号の説明】
【００２９】
１，２ベルトクランプ
３  取付孔
１０  ベルト
１１  係合歯
２０，２０ａ  バックル
２１  上面部
２２  正面部
２３  下面部
２５  左側面部
２６  右側面部
３０  挿通口
３１  係合爪
４０，４１  クリップ
４２，４２ａ  係合脚
４３，４３ａ  弾性片
６０  ケーブルワイヤ
７０  筒体
７１  ヒンジ部位
７２  アーム
７３  係止片
７４  係合突起
Ａ  車体
【図１】
2005323439.tif 000003
【図２】
2005323439.tif 000004
【図３】
2005323439.tif 000005
【図４】
2005323439.tif 000006
【図５】
2005323439.tif 000007